(57)【要約】【課題】  内装建材から放散されるアルデヒド類やトルエン、キシレンなどの揮発性の有機化合物を内装建材の保管中、または輸送中に効果的に吸着、除去して内装建材に含まれる有害化学物質を低減させる方法を提供する。【解決手段】  梱包材１によって内装建材２を梱包する際に、内装建材２と共に活性炭シート3Aとアルデヒドキャッチャー剤の担持シート3B、或いは、アルデヒドキャッチャー剤を塗着させている活性炭シートを一緒に梱包し、保管中にまたは輸送中にこの梱包体Ａを30℃以上の温度で加温処理することにより、内装建材２からの有害化学物質の放散を促進させて上記シートの活性炭やアルデヒドキャッチャー剤に吸着、除去させる。【選択図】    図１
2005059916.tif 000002
【特許請求の範囲】
【請求項１】
内装建材を梱包する際に、梱包体内に活性炭を担持させたシートとアルデヒドキャッチャー剤を担持させたシートのうち、少なくとも活性炭を担持させたシートを配設するか、または、活性炭とアルデヒドキャッチャー剤とを担持させたシートを配設するか、或いは、活性炭とアルデヒドキャッチャー剤のうち、少なくとも活性炭を充填、収納している通気性を有する充填体を配設したのち、この梱包された内装建材を保管中または輸送中に30℃以上の温度で加温処理することにより内装建材からの有害化学物質の放散を促進させ、上記シートに担持又は充填体に収納している活性炭に有害化学物質を吸着、除去させることを特徴とする内装建材から放散される有害化学物質の低減方法。
【請求項２】
梱包面に活性炭とアルデヒドキャッチャー剤のうち、少なくとも活性炭を塗着または含浸させている梱包材を、その塗着層または含浸層を内装建材側に向けてこの梱包材により内装建材を梱包したのち、内装建材を保管中または輸送中に30℃以上の温度で加温処理することにより内装建材からの有害化学物質の放散を促進させ、上記活性炭の塗着層または含浸層にこの有害化学物質を吸着、除去させることを特徴とする内装建材から放散される有害化学物質の低減方法。
【発明の詳細な説明】
【技術分野】
【０００１】
本発明は住宅の内装建材から放散されるホルムアルデヒドやトルエン等の揮発性の高い有機化合物などの有害な化学物質を、保管中または輸送中に吸着、除去して内装建材に含まれる有害化学物質を低減させる方法に関するものである。
【背景技術】
【０００２】
近年、新築やリフォーム後の住宅においては、居住者が目の痛みやアレルギーなどの様々な自覚症状を訴える、所謂、シックハウス症候群と呼ばれる健康被害が多発しており、大きな社会問題となっている。この主な原因としては、内装建材から放散されるホルムアルデヒドや、トルエン、キシレンなどの揮発性の高い有機化合物等の有害な化学物質が室内に高濃度で存在することによるものと考えられている。
【０００３】
また、有害化学物質の放散量の大きい内装建材を一度室内に持ち込めば、近年の気密性の高い住宅構造と相まって、内装建材より放散された有害化学物質は長期間に亘って高い濃度で室内に滞留するため、健康被害を一層深刻なものとしている。このように、ホルムアルデヒドや、トルエンなどの有機化合物は人体に有害な化学物質ではあるが、内装建材を製造するためには欠くことのできない接着剤や塗料を構成する成分であり、従って、全面的に使用を禁ずることができないのが現状である。
【０００４】
一方、内装建材から放散される上記有害な化学物質による健康被害を低減するために、これまで検討されてきた方法として次のような手段が知られている。すなわち、内装建材を製造する際に、揮発する化学物質と反応してこれを無害化する薬剤を内装建材に添加し、室内に化学物質が放散するのを抑制する方法や、内装建材の施工後に、暖房器具などにより室温を上げて該内装建材からの化学物質の放散を促進させ、短期間で殆どすべての化学物質を放出させる方法、或いは、活性炭や珪藻土のような化学物質を吸着する材料を室内に設置する方法などがある。
【０００５】
しかしながら、これらの方法では内装建材の品質が低下したり、製造工程数が増加したり添加材料の種類が多くなって大幅なコストアップを招くといった問題点を有している。このため、近年、比較的簡便で有効な有害化学物質の低減方法として、内装建材の梱包材にアルデヒド類と化学反応する薬剤を塗布し、この梱包材によって内装建材を梱包して保管中或いは運搬中に内装建材から放散されるホルムアルデヒドを吸着して低減する方法が実施されている（例えば、特許文献１、特許文献２参照）。
【０００６】
【特許文献１】特開平１０−２６４９６２号公報（第２〜３頁、第３図）。
【特許文献２】特開平１１−２２７８２４号公報（第２〜３頁）。
【発明の開示】
【発明が解決しようとする課題】
【０００７】
しかしながら、上記の方法では薬剤によってアルデヒド類のみを選択的に吸着除去するだけであり、トルエンやキシレン等の揮発性有機化合物の除去には全く効果がない。また、冬季においては保管時或いは輸送時の気温が10℃以下の低温になることもあり、このような低温下では上記薬剤によるアルデヒド類の吸着、除去機能が低下して反応が進行しない事態が生じる場合もある。さらには、内装建材から放散されるアルデヒド類の量が多い場合は、薬剤が短期間で反応しつくしてしまってアルデヒド類の量を十分に低減させることができず、残存するアルデヒド類の放散により室内のアルデヒド類の濃度が高くなるという問題点があった。
【０００８】
本発明は上記のような問題点に鑑みてなされたもので、その目的とするところは、内装建材から放散される有害なホルムアルデヒドは勿論、トルエンやキシレン等の揮発性の高い有機化合物も、保管中または輸送中に効果的に低減させることができる有害化学物質の低減方法を提供するにある。
【課題を解決するための手段】
【０００９】
上記目的を達成するために、本発明の内装建材から放散される有害化学物質の低減方法は、請求項１に記載したように、内装建材を梱包する際に、梱包体内に活性炭を担持させたシートとアルデヒドキャッチャー剤を担持させたシートのうち、少なくとも活性炭を担持させたシートを配設するか、または、活性炭とアルデヒドキャッチャー剤とを担持させたシートを配設するか、或いは、活性炭とアルデヒドキャッチャー剤のうち、少なくとも活性炭を充填、収納している通気性を有する充填体を配設したのち、この梱包された内装建材を保管中または輸送中に30℃以上の温度で加温処理することにより内装建材からの有害化学物質の放散を促進させ、上記シートに担持又は充填体に収納している活性炭に有害化学物質を吸着、除去させることを特徴とする。
【００１０】
また、請求項２に係る発明は、梱包面に活性炭とアルデヒドキャッチャー剤のうち、少なくとも活性炭を塗着または含浸させている梱包材を、その塗着層または含浸層を内装建材側に向けてこの梱包材により内装建材を梱包したのち、内装建材を保管中または輸送中に30℃以上の温度で加温処理することにより内装建材からの有害化学物質の放散を促進させ、上記活性炭の塗着層または含浸層にこの有害化学物質を吸着、除去させることを特徴とする。
【発明の効果】
【００１１】
請求項１に係る発明によれば、比較的安価な活性炭とアルデヒドキャッチャー剤のうち、少なくとも活性炭を担持させたシート、あるいは、これらの活性炭とアルデヒドキャッチャー剤のうち、少なくとも活性炭を充填、収納している袋等の通気性を有する充填体を、内装建材を梱包した梱包体内に入れておくだけの簡便な方法により、内装建材から梱包体内に放散されるアルデヒドやトルエン、キシレンなどの有害化学物質を上記活性炭とアルデヒドキャッチャー剤とによって確実に吸着除去することができる。このように、活性炭とアルデヒドキャッチャー剤とを組み合わせることによってアルデヒド類だけでなく、トルエンやキシレンといった疎水性の揮発性有機化合物も除去することができ、内装建材から放散される有害化学物質を包括的に除去することができる。
【００１２】
また、上記請求項１に係る発明のように、活性炭とアルデヒドキャッチャー剤を担持させたシート、或いは、これらの活性炭とアルデヒドキャッチャー剤を充填、収納している袋等の充填体を、梱包体内に入れておく代わりに、請求項２に記載したように、梱包面に活性炭とアルデヒドキャッチャー剤のうち、少なくとも活性炭を塗着または含浸させている梱包材を、その塗着層または含浸層を内装建材側に向けてこの梱包材により内装建材を梱包しておいても、この活性炭とアルデヒドキャッチャー剤との塗着層又は含浸層によって上記同様に内装建材から放散されるアルデヒド類やトルエン、キシレンなどの有害化学物質を効率よく確実に除去することができる。
【００１３】
さらに、梱包された内装建材を保管中または輸送中に30℃以上の温度で加温処理するものであるから、内装建材からの有害化学物質の放散が促進されて活性炭とアルデヒドキャッチャー剤とに効率よく吸着させることができ、内装建材内の有害化学物質を一層効果的に低減させることができる。その上、活性炭とアルデヒドキャッチャー剤とによるこれらの有害化学物質の吸着除去は、梱包された内装建材の保管中または輸送中に行われるので、有害化学物質の低減処理のための工程を増やす必要はなく、内装建材を建て込みまでの期間を有効に利用して低減処理を安価に行うことができる。
【００１４】
また、内装建材から放散される有害化学物質の吸着、除去に使用した活性炭とアルデヒドキャッチャー剤とを担持している上記シート、またはこれらの活性炭とアルデヒドキャッチャー剤とを充填、収納している袋等の通気性を有する充填体、或いは、活性炭とアルデヒドキャッチャー剤とを塗着または含浸させている梱包材は、使用後において焼却処分してもダイオキシン等の有害成分を殆ど発生することなく、環境負荷も小さくてすむ。なお、使用済みの上記シートや充填体は、天日乾燥等により、活性炭に吸着した化学物質を再放散させれば、室内の消臭剤等として利用することもできる。
【発明を実施するための最良の形態】
【００１５】
次に、本発明を実施するための最良の形態について説明すると、図１は段ボールや厚紙、或いは合成樹脂シート状物などの梱包材１によって内装建材２を包装、梱包してなる梱包体Ａの簡略縦断面図であって、この梱包体Ａ内には活性炭を担持させているシート3Aとアルデヒドキャッチャー剤を担持させているシート3Bとを内装建材２に重ね合わせるようにして配設、収納している。
【００１６】
上記内装建材２とは、この内装建材２の製造工程中においてホルムアルデヒド樹脂系接着剤や有機溶剤系塗料を使用し、施工した状態においては居室内に直接面するか、上記接着剤や塗料から経時的に空気中に放散された有害化学物質が室内に影響を与えうる部位に用いられる建築材料のことであり、例えば、天井材、床材、壁材、ドア、ふすま、階段、収納セットなどが挙げられ、また、手すりや回り縁などの造作材も含まれる。
【００１７】
一方、内装建材２から放散される揮発性を有する有害化学物質の吸着剤として用いる上記活性炭としては粉末状、粒状または繊維状の活性炭のいずれであってもよく、これらの粉末状や粒状、繊維状の活性炭を混合して使用してもよい。粉末状または粒状の活性炭としては、汎用されているヤシガラ活性炭の他、木質系活性炭、石炭系活性炭、石油系活性炭、フェノール樹脂系活性炭があり、繊維状の活性炭としてはセルロース系活性炭、フェノール樹脂系活性炭、アクリロニトリル系活性炭、芳香族ポリアミド系活性炭など、種々の原料から得られたものを用いることができる。なお、使用する活性炭としては、吸着性能がJIS K 1402に規定するヨウ素吸着能100mg/ｇ以上のものが好ましい。この値よりもヨウ素吸着能が小さい活性炭を用いると十分な吸着力を確保することができない。
【００１８】
活性炭を担持させたシート3Aとしては、シート3Aとして段ボールや通気性のある紙、不織布等を使用し、これらのシート3Aにバインダーと共に活性炭を散布して付着させたものや、活性炭をシート状に加工した活性炭シートがある。活性炭シート3Aとしては、活性炭の上記吸着性能を大きく低減させることなく、且つ活性炭の粉粒状物が脱落しないような方法でシート状に加工したものを用いる。
【００１９】
このような活性炭シート3Aの製造方法としては次のようなものが知られている。即ち、粉末状活性炭を混抄材及びバインダーと共に水に分散させて抄紙原料を調整し、抄紙する方法；繊維状活性炭を熱融着繊維とともに抄紙した後、加熱して熱融着繊維の一部を溶融させ、繊維状活性炭を固着させる方法；粒状活性炭をホットメルト共に不織布上に散布し、活性炭粒子を固着させる方法；ウレタンシートにアクリルエマルジョンを塗布したのち、粉末状の活性炭を散布して活性炭粒子をシート上に固着させると共にエアを吹きつけることによってシート上の余分な活性炭を吹き飛ばす方法などがある。また、吸着性を高めるために、活性炭を添着させたシートをコルゲート状に加工する方法もある。なお、以上の方法は活性炭シートの一般的な製造方法を例示したものであり、本発明に用いる活性炭シート3Aはこれらの方法に限定されるものではない。
【００２０】
活性炭を担持させたシート3Aと共に梱包体Ａに内装されるアルデヒドキャッチャー剤を担持させた上記シート3Bとしては、アルデヒドキャッチャー剤として尿素やヒドラジド化合物など、アルデヒド類と反応する薬剤を用い、この薬剤を紙や不織布に含浸させたシート状物である。このシート状物に対するアルデヒドキャッチャー剤の添加量は１g/m2以上、10g/m2以下が望ましい。添加量が１g/m2以下ではアルデヒド類の吸着、除去効果が小さく、10g/m2以上ではコスト高になるかである。
【００２１】
これらの活性炭を担持しているシート3Aとアルデヒドキャッチャー剤を担持しているシート3Bとは、上述したように梱包材１によって内装建材２を梱包する際に内装建材２と共に梱包材１で包装され、保管中や運搬中に内装建材２から放散されるアルデヒド類や、トルエン、キシレンなどの揮発性の有機化合物を、シート3A、3Bにそれぞれ担持させている活性炭とアルデヒドキャッチャー剤とによって吸着、除去させるものであるが、内装建材２を梱包する際に内装建材２と共に梱包材１によって包装される活性炭やアルデヒドキャッチャー剤の使用形態としては、このように、活性炭を担持しているシート3Aとアルデヒドキャッチャー剤を担持しているシート3Bとを採用する以外に、活性炭を担持したシート3Aのみを内装建材２と共に梱包材１によって梱包してもよい。なお、有害な化学物質とは、ホルムアルデヒドやアセトアルデヒドなどのアルデヒド類と、トルエンキシレンなどの揮発性の有機化合物とをいう。
【００２２】
また、活性炭を担持しているシート3Aと、このシート3Aとは別体のアルデヒドキャッチャー剤を担持しているシート3Bとを採用する以外に、活性炭とアルデヒドキャッチャー剤とを担持させたシートのみを内装建材２と共に梱包材１によって包装してもよい。このようなシートとしては、上記活性炭シート3Aにアルデヒドキャッチャー剤を１g/m2以上、10g/m2以下の添加量でもってシート全面に塗着してなるシート状物、或いは、紙や不織布などの通気性を有するシート状物に所定量の活性炭とアルデヒドキャッチャー剤とを全面的に均一に付着させてなるシートが採用することができる。
【００２３】
活性炭上にアルデヒドキャッチャー剤の添加を添加しても、活性炭の吸着能力は低減することなく、むしろ、アルデヒドキャッチャー剤が活性炭のマクロの孔表面に付着して薬剤とアルデヒド分子の接触効率が向上し、効果的にアルデヒド類を吸着することができる。
【００２４】
内装建材２と共に梱包材１によって包装される活性炭やアルデヒドキャッチャー剤のさらに別な使用形態としては、上記のような活性炭シート3A等のシート状物を採用するのに代えて、不織布等の通気性のある袋内に適量の活性炭を充填、収納してなる充填体を採用してもよい。なお、この充填体としては、上記袋内に活性炭と共に適量のアルデヒドキャッチャー剤を充填してなるものであってもよい。
【００２５】
上記活性炭シート3Aや充填体等は、内装建材２を梱包材１によって個別梱包する際に、この内装建材２と共に梱包材１により包装されるものであり、その際、使用時に室内に面する内装建材部分に接するように活性炭シート3Aや充填体を配置すれば有害化学物質の吸着、除去が効果的に行うことができる。また、活性炭シート3Aを重ね合わせた状態で配設している内装建材２をさらにポリエチレンシートなどで包装してから梱包材１で梱包することにより、外部からの有害な化学物質の浸入を該ポリエチレンシートで防ぎながら、内装建材２から放散される有害化学物質のみを活性炭シート3Aにより吸着することができ、活性炭シート3Aによる有害化学物質の吸着効果を一層有効なものとすることができる。なお、ここでいう「個別梱包」とは、製造工場で塗装などの最終仕上げ工程を経た内装建材２を最小販売単位ごとに段ボール製のケートなどに収めることである。
【００２６】
このように、梱包材１によって内装建材２を梱包してなる梱包体Ａ内に、内装建材２と共に活性炭シート3A、又は、この活性炭シート3Aと共にアルデヒドキャッチャー剤を担持させているシート3B、或いは、活性炭とアルデヒドキャッチャー剤を担持させているシート状物を配設するか、通気性を有する袋内に活性炭とアルデヒドキャッチャー剤のうち、少なくとも活性炭を充填してなる充填体を配設することによって、内装建材２から梱包体内に放散されるアルデヒド類や、トルエン、キシレンなどの有機化合物等の有害化学物質を上記活性炭やアルデヒドキャッチャー剤によって吸着除去させる。
【００２７】
この際、梱包体Ａの保管中または運搬中にこの梱包体Ａを加温することによって内装建材２からの揮発性の有害化学物質の放散を促進させ、活性炭等による効率のよい吸着を可能にする。この加熱処理温度としては30℃以上が好ましく、この温度以下では内装建材２からの揮発性の有害化学物質の放散促進効果が小さくなる。
【００２８】
なお、本発明においては、上記活性炭シート3Aやアルデヒドキャッチャー剤を担持させたシート3B、或いは、上記充填体などを使用することなく、上記梱包材１の内面、即ち、梱包面に活性炭とアルデヒドキャッチャー剤のうち、少なくとも活性炭を塗着又は含浸させてなる塗着層または含浸層を設けておき、この塗着層または含浸層を内装建材側に向けて梱包材１により内装建材２を梱包してもよい。次に、本発明の具体的な実施例と比較例を示す。
【実施例】
【００２９】
梱包材による内装建材の梱包時に活性炭シートを入れ、保管または輸送時に内装建材から放散される有害化学物質を活性炭に吸着させることを想定して、以下に示す要領で実験を行った。
【００３０】
〔実施例１〕
針葉樹集成材にウレタン系塗料を塗布し、室温で48時間養生した。その後、この針葉樹集成材を165mm 角に切断して試験体を得、この試験体におけるウレタン系塗料の塗布面に活性炭シート（クラレケミカル製、商品名クラシート＃1000）を載置し、アルミホイルによって２重に被覆したのち、梱包材としてポリエチレン製の袋を使用し、この袋内に上記アルミホイルによって被覆された塗布面に活性炭シートを載せている試験体を入れ、40℃のドライヤー中で１週間養生した。
【００３１】
〔実施例２〕
針葉樹集成材にウレタン系塗料を塗布し、室温で48時間養生した。その後、この針葉樹集成材を165mm 角に切断して試験体得、この試験体におけるウレタン系塗料の塗布面に、アルデヒドキャッチャー剤（大塚化学製、商品名ケムキャッチＨ6000）を７g/m2の割合で塗布した活性炭シート（クラレケミカル製、商品名クラシート＃1000）を載置し、アルミホイルによって２重に被覆したのち、この試験体をポリエチレン製の袋内に入れ、40℃のドライヤー中で１週間養生した。
【００３２】
〔比較例１〕
針葉樹集成材にウレタン系塗料を塗布し、室温で48時間養生した。その後、この針葉樹集成材を165mm 角に切断して試験体を得、これをポリエチレン製の袋内に入れて１週間、室温で養生した。
【００３３】
〔比較例２〕
針葉樹集成材にウレタン系塗料を塗布し、室温で48時間養生した。その後、この針葉樹集成材を165mm 角に切断して試験体を得、この試験体におけるウレタン系塗料の塗布面に、アルデヒドキャッチャー剤（大塚化学製、商品名ケムキャッチＨ6000）を７g/m2の割合で塗布した濾紙を載置した状態にしてアルミホイルによって２重に被覆したのち、ポリエチレン製の袋内に入れ、１週間養生した。
【００３４】
〔比較例３〕
針葉樹集成材にウレタン系塗料を塗布し、室温で48時間養生した。その後、この針葉樹集成材を165mm 角に切断して試験体を得、この試験体におけるウレタン系塗料の塗布面に活性炭シート（クラレケミカル製、商品名クラシート＃1000）を載置し、アルミホイルによって２重に被覆したのち、ポリエチレン製の袋内に入れ、室温で１週間養生した。
【００３５】
上記実施例１、２と比較例１〜３における試験体の養生に用いたポリエチレン製の袋から試験体を取り出し、試料負荷が1.1 m2/m3 となるように治具に固定し、試験体からの揮発性有機化合物（ＶＯＣ）の放出量を測定した。この測定方法は、JIS A 1901に準拠して、小形チャンバー法によりＡＤＰＡＣシステム（Advanced Pollution and Air quality Chamber、アドテック製）を使用して行った。測定条件は温度28℃、相対湿度50％、換気回数を0.5 回／ｈとした。
【００３６】
揮発性有機化合物の分析は、化学物質捕集用活性炭チューブ（Airtoxics パーキンエルマー製）にＤＰＡＣシステム内の揮発性有機化合物を含んでいる空気を3.2 リットル捕集し、加熱脱着−ガスクロクロマトグラフ質量分析計（パーキンエルマー製）を使用して行った。ここでは、分析された化学物質のうち、ｎ- ヘキサンからｎ- ヘキサデカン間の定性された化学物質の濃度と物質名が不明の化学物質をトルエンの応答係数を用いて換算した濃度（トルエン換算値）の合計を総揮発性有機化合物の放散量とした。
【００３７】
一方、アルデヒド類は、ＤＮＰＨカートリッジ（waters製) にＡＤＰＡＣシステム内の空気を10リットル捕集し、アセトニトリルで溶出後、高速液体クロマトグラフ（島津製作所製）で分析した。ここでは、特に人体への影響が大きいとされるホルムアルデヒドとアセトアルデヒドとの濃度の合計をアルデヒド放散量とした。
【００３８】
上記実験による測定結果を表１にまとめた。この表１から明らかなように、比較例１のように試験体に何の処理も施さない場合では揮発性有機化合物およびアルデヒド類の放散量は著しく高く、また、比較例２のように試験体にアルデヒドキャッチャー剤の担持させているろ紙を載置しただけでは、試験体からのアルデヒド類の放散量は少なくなっているものの、トルエンなどの揮発性有機化合物は殆ど低減していない。
【００３９】
これに対して、実施例１に示すように、試験体に活性炭シートを載せ、さらに加温するこけとによって、加温しない比較例３よりも揮発性有機化合物の放散量を大きく低減させることができた。さらに、実施例２のようにアルデヒドキャッチャー剤を活性炭シートに添加することにより、揮発性有機化合物と共にアセトアルデヒド及びホルムアルデヒドの放散量も大きく低減させることができた。このように、比較的安価な活性炭シートやアルデヒドキャッチャー剤を内装建材の梱包時に同封し、さらに、加温することによって、内装建材からの有機化合物の放散量を大幅に低減させることができることが確認された。
【００４０】
【表１】
2005059916.tif 000003
【図面の簡単な説明】
【００４１】
【図１】内装建材を梱包した梱包体の簡略縦断面図である。
【符号の説明】
【００４２】
Ａ  梱包体
１  梱包材
２  内装建材
3A  活性炭シート
3B  アルデヒドキャッチャー剤の担持シート
【図１】
2005059916.tif 000004